(57)【特許請求の範囲】
【請求項１】
開口状態の包装袋に製品を充填するために昇降するジョーゴであって、
前記ジョーゴの外周に集塵フードを取付け、
該集塵フードに排出口を設け、
前記ジョーゴの下部に、包装袋のシール部に向けてガスが噴射する噴出口を設け、
前記噴出口を、リング帯の上端部に取付けの供給基管から下方向に複数の排出管に形成してあることを特徴とする製品粉除去機能付き充填用ジョーゴ。
【発明の詳細な説明】
【技術分野】
【０００１】
本発明は、製品を包装袋に充填するジョーゴに関し、より詳細には、製品を充填後に包装袋のシール部に付着する製品粉を除去する除去機能付きの充填用ジョーゴに関する。
【背景技術】
【０００２】
従来、合成樹脂等のフィルムで製作の包装袋の両端を一対の挟持腕で挟持して、順次、各工程を搬送されるロータリー式包装機がある。この包装機において、製品が充填された後、一対の挟持腕で挟持された包装袋の上部を、シールブロックでヒートシールして密閉された製品にする。
この包装機において、製品を充填するに当たって、引用文献１のように、ジョーゴが下降し、製品を包装袋内に落下充填し、その後、ジョーゴを上昇させた後に、次工程のシール部をヒートシールするシール工程に搬送されてヒートシールが施される。
尚、前記のようなロータリー式の包装機の他に、単独で、製品を充填する充填機においても、ジョーゴの昇降によって製品充填が行われ、その後、シール装置でシール部がヒートシールされる。
【先行技術文献】
【特許文献】
【０００３】
【特許文献１】特開２０００−７５６１５号公報
【発明の概要】
【発明が解決しようとする課題】
【０００４】
前記包装袋が、製品充填後にヒートシールをするに当たって、製品によってはシール部に製品粉が付着する場合がある。そのため、ロータリー式包装機においては、製品充填後に、シール部から付着された製品粉を除去する除去工程を設け、その工程後、シール部をヒートシールするシール工程が設けられている。
そのため、新たな除去工程が必要になり、工程を確保できない包装機では製品粉を除去せずにヒートシールが行われて、不良品を産することになる。
また、単独の充填機においても、製品充填後に、製品粉の除去を実施する装置が必要である。
そこで、本願発明では、前記課題を解消するために、製品充填するジョーゴに着目して、製品粉除去を可能にする製品粉除去機能付き充填用ジョーゴを提供する。
【課題を解決するための手段】
【０００５】
請求項１の開口状態の包装袋に製品を充填するために昇降する製品粉除去機能付き充填用ジョーゴは、前記ジョーゴの外周に集塵フードを取付け、該集塵フードに排出口を設け、前記ジョーゴの下部に、包装袋のシール部に向けてガスが噴射する噴出口を設け、前記噴出口を、リング帯の上端部に取付けの供給基管から下方向に複数の排出管に形成してある。
【発明の効果】
【０００６】
本願発明の製品粉除去機能付き充填用ジョーゴによると、製品の包装袋への充填時にシール部に付着の製品粉を除去するので、新たな除去工程が不要であるし、更に製品粉除去工程を設けることによって、より確実の製品粉の除去を行うことができる。
【図面の簡単な説明】
【０００７】
【図１】ジョーゴの周辺斜視図である。
【図２】（Ａ）はジョーゴのＡ〜Ａ矢視図、（Ｂ）は正面図、（Ｃ）は側面図である。
【図３】充填時の作用を説明する図である。
【図４】他の構成のジョーゴ周辺の斜視図である。
【図５】他の構成のジョーゴの正面図と排出管の正面図である。
【発明を実施するための形態】
【０００８】
本願発明について、図面を参照して説明する。図１はジョーゴの周辺の斜視図、図２（Ａ）はジョーゴのＡ〜Ａ矢視図、（Ｂ）は正面図、（Ｃ）は側面図である。
ロータリー式包装機(図示略)は、よく知られているように、給袋搬送機、受渡し機を介して１枚毎、包装袋１を吸引して一対の挟持腕２に受け渡す給袋機器等を配置の第１工程、印字機、チャック開き機器等を配置の第２工程、印字検査機器と底膨らまし機器を配置の第３工程、袋開口機器を配置の第４工程、製品充填機を配置の第５工程、予備の第６〜８工程、シール装置を配置の第９工程、冷却、製品排出機器を配置の第１０工程で構成されていて、包装袋を順次、所定時間間隔で搬送して製品を得る。
【０００９】
ジョーゴ３は、前記第５工程の製品充填機に配設してあり、計量機(図示略)で計量された製品を落下誘導し、上部から下部に至って縮小口径の筒状である。
このジョーゴ３の底部にはリング帯５が取付けてあり、そのリング帯５の下端部にはリング状の噴出管１０が配置してある。この噴出管１０には外側方向に噴射可能な複数個の噴出口１１が形成してある。即ち、複数個の噴出口１１は包装袋１のシール部１ａをめがけて噴射する方向に設けられている。
【００１０】
なお、この噴出管１０の環状径は、両端を挟持腕２で挟持された包装袋１が吸引具１３を介して開口して、製品がジョーゴ３を介して落下充填するとき、接触しない径である。
また、噴出管１０の形状は、円状、楕円状、四角等の多角形等であり、噴出管１０の口径、噴出口１１の口径及び個数は、包装袋１のシール部１ａに付着する製品粉の性質、噴射するガス(空気等)の流速等により選定する。
【００１１】
前記噴出管１０には両側からガスを供給する供給管１５が設けてあり、この供給管１５は、電磁弁(図示略)の制御に従って、供給源(図示略)からガスが供給される。また、前記ジョーゴ３の外周には、取付け具１８を介して集塵フード２０が取付けてあり、集塵機(図示略)に連結の排出口２２が設けてあり、前記集塵フード２０内の集塵ガスを排出口２２から吸引する。
【００１２】
次に、前記の製品粉除去機能付き充填用ジョーゴの作動について、図３を参照して説明する。
集塵機(図示略)は起動中であり、集塵フード２０内のガスは吸引中である。両端を挟持腕２で挟持された包装袋１が充填工程に搬送されると、吸引具１３を介して包装袋１の上縁は開口される(図３(Ａ))。そして、リング帯５が包装袋１内に入るまで、ジョーゴ３が下降され、計量機(図示略)で計量された製品５０は、ジョーゴ３内を落下し包装袋１内に充填される。このとき、包装袋１の上縁において、舞い上がる製品粉は集塵フード２０で誘導されて、排出口２２から集塵される(図３(Ｂ))。
【００１３】
そして、製品の充填が終了すると、ジョーゴ３は上昇を開始し、電磁弁(図示略)の制御に従って、例えば、２秒間、供給源(図示略)から供給管１５を経由して前記噴出管１０に送られるガスが、ジョーゴ３の上昇と共に、噴出口１１から噴射される。この噴射されるガスは包装袋１のシール部１ａに噴射するため、シール部１ａに付着の製品粉は飛ばされ、集塵フード２０で誘導され、排出口２２から吸引される(図３(Ｃ))。
その後、ジョーゴ３は上昇し終えると、包装袋１は次のシール工程に搬送される(図３(Ｄ))。このシール工程では、前記シール部１ａの付着の製品粉が除去された状態であるので、シール部１ａに粉カミがない状態でヒートシールされる。
【００１４】
次に、図４、図５を参照して他の構成のジョーゴについて説明する。
前記噴出管１０はリング帯５の下端部にリング状に形成されているが、他の構造として、リング帯５の上縁に、前記供給管１５に連結する供給基管３１を設ける。なお、この供給基管３１の形状は、円状、楕円状、四角等の多角形等であり、後述する排出管３２の本数等を考慮して選定する。
その供給基管３１を円形状に選定して、例えば、２２.５°間隔に、１６本の排出管３２を前記供給基管３１から下方向に設ける。そして、それらの排出管３２に噴出口１１を、外側方向に、即ち、包装袋のシール部１ａに向けて噴射するように設ける。
このように、１６本の排出管３２に形成された噴出口１１から噴射されるガスによって、シール部に付着の製品粉は吹飛ばされて除去される。
【００１５】
以上のように、充填工程において、製品が充填されると共に、シール部１ａの製品粉の除去を行うので、新たに製品粉を除去する除去工程を設ける必要がなく工程を少なくする包装機を製作できるし、或いは、新たに製品粉を除去する除去工程を設けることによって、更に、製品粉の除去を確実に行うことができる。
また、単独の充填機で充填する場合であっても、この充填機が製品粉除去を兼ねているので新たな除去装置を設置する必要がない。
【符号の説明】
【００１６】
１  包装袋
１ａ  シール部
２  挟持腕
３  ジョーゴ
５  リング帯
１０  噴出管
１１  噴出口
２０  集塵フード
２２  排出口
３１  供給基管
３２  排出管
【図１】
0005838397.tif 000002
【図２】
0005838397.tif 000003
【図３】
0005838397.tif 000004
【図４】
0005838397.tif 000005
【図５】
0005838397.tif 000006